(57)【要約】      （修正有）【課題】工具を上からだけではなく前方からも工具装着具に収めることができる工具装着具、及び工具装着具と工具装着補助具の組合せを提供する。【解決手段】本体部Ｂと工具保持部ｔＨとからなる工具装着具において、丸型磁石又は角型磁石Ｍは、本体部Ｂに取付けられて若しくは埋設されて、工具の金属部を磁気的に吸着すると共に、工具保持部ｔＨは、一対の側方ストッパーＳＴからなり、一対の側方ストッパーＳＴは、それぞれ本体部Ｂの上方に取付けられ、一対の側方ストッパーＳＴの上端部で工具を垂直方向に吊り下げて支持し、側方向に拘束するが、前方方向には拘束しないことを特徴とする。【選択図】図１
0003203136.tif 000002
【実用新案登録請求の範囲】
【請求項１】
本体部Ｂと工具保持部ｔＨとからなる工具装着具１００において、丸型磁石又は角型磁石Ｍは、本体部Ｂに取付けられて若しくは埋設されて、工具の金属部ｍを磁気的に吸着すると共に、工具保持部ｔＨは、一対の側方ストッパーＳＴからなり、一対の側方ストッパーＳＴは、それぞれ本体部Ｂの上方に取付けられ、一対の側方ストッパーＳＴの上端部ｓｔｕで工具ｔを垂直方向に吊り下げて支持し、側方向に拘束するが、前方方向には拘束しないことを特徴とする工具装着具１００。
【請求項２】
工具保持部ｔＨは、一対の第１の工具保持部ｔＨ１からなり、第１の工具保持部ｔＨ１は、側方ストッパーＳＴと接続具ｃｎを一体にしたＬ字形状部材であり、一対の第１の工具保持部ｔＨ１は、それぞれ本体部Ｂの上方に接続具ｃｎを介して取付けられることを特徴とする請求項１に記載された工具装着具１００。
【請求項３】
工具保持部ｔＨは、一対の側方ストッパーＳＴと接続具ｃｎを一体になったコの字形状部材であり、工具保持部ｔＨは、それぞれ本体部Ｂの上方に接続具ｃｎを介して取付けられることを特徴とする請求項１〜２の何れかに記載された工具装着具１００。
【請求項４】
本体部Ｂと工具保持部ｔＨ及びさらに引掛け部ｈからなる工具装着具１００において、本体部Ｂの裏面側に引掛け部ｈが取付けられてなることを特徴とする請求項１〜３の何れかに記載された工具装着具１００。
【請求項５】
第２の本体部Ｂ２と、第２の本体部Ｂ２の表面に取付けられた第１の面ファスナーと、第２の本体部Ｂ２の裏面に取付けられた第２の面ファスナーとからなる工具装着補助具２００において、第２の本体部Ｂ２に丸型磁石又は角型磁石Ｍを取付けて若しくは埋設してなり、第１の面ファスナーＦ１と第２の面ファスナーＦ２は雄／雌又は雌／雄の異種の面により脱着可能に接着されることを特徴とする請求項１〜４の何れかに記載された工具装着具１００。
【請求項６】
第１の面ファスナーＦ１の表裏面が、それぞれ雄／雄面又は雌／雌面であり、第２の面ファスナーＦ２の表裏面が、それぞれ雌／雄又は雄／雌面であることを特徴とする請求項１〜５の何れかに記載された工具装着具１００。
【考案の詳細な説明】
【技術分野】
【０００１】
本考案は、工具装着具に関する。
【背景技術】
【０００２】
従来は、工具保持部が付いた工具装着具に挿入して工具を使用していたが、工具を工具装着具に挿入する際に上方からしか挿入できず、工具装着具の挿入口は狭くて挿入し難いという欠点が指摘されていた。
【考案の開示】
【０００３】
考案者は、かかる従来技術の欠点に鑑み鋭意研究した結果、本願考案を完成させた。
【先行技術文献】
【特許文献】
【０００４】
本願考案に係る工具装着具１００について、ＦＩ、キーワード検索を行ったところ、本件考案（本願の［実用新案登録請求の範囲］の請求項１〜６に記載の考案）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
工具を上方からだけではなく前方からも工具装着具に収めることができる工具装着具を提供することである。
○本考案が解決しようとする第２課題
本考案が解決しようとする第２課題は、
工具装着具を、予め腰袋にワンタッチで装着してある工具装着補助具に簡単に装着できる工具装着補助具（あるいは、工具装着具と工具装着補助具との組合せ）及び工具装着具を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○工具装着具１００とは、本体部Ｂと工具保持部ｔＨからなる、あるいは、本体部Ｂと工具保持部ｔＨ及びさらに引掛け部ｈからなる工具を装着するための道具である。
○本体部Ｂとは、工具装着具１００の本体を構成する部分である。
○工具保持部ｔＨとは、工具装着具１００の構成要素であり、工具を装着し保持する部分をいう。
○丸型磁石又は角型磁石Ｍとは、丸型磁石又は角型磁石の何れかである。
○工具ｔとは、本願考案においては、一端が狭くて一端が広くて、一対の側方ストッパーＳＴの上端部ｓｔｕで工具ｔを垂直方向に吊り下げて支持し、側方向に拘束するが、前方方向には拘束しないことが可能な工具をいう。
例えば、図６において、工具の上側の横幅の最大値がＸ１で、工具の下側の横幅の値がＸ２で、Ｘ１＞Ｘ２である場合、一対の側方ストッパーＳＴの上端部ｓｔｕ（あるいは、腰袋のポケット（底なし）の上端縁）で工具ｔを垂直方向に吊り下げて支持することが可能となる。
○側方ストッパーＳＴとは、工具保持部ｔＨの構成要素であり、本体部Ｂに直接又は接続具ＣＮを介して取付けられることにより、一対の側方ストッパーＳＴの上端部ｓｔｕで工具ｔを垂直方向に吊り下げて支持し、側方向に拘束するが、前方方向には拘束しない。
○側方ストッパーＳＴの上端部ｓｔｕは、工具ｔを垂直方向に吊り下げて支持する部分である。
○第１の工具保持部ｔＨ１とは、工具装着具１００の構成要素であり、側方ストッパーＳＴと接続具ｃｎを一体にしたＬ字形状部材である。
○接続具ｃｎとは、側方ストッパーＳＴを本体部Ｂに取付けるための部分である。
○引掛け部ｈとは、工具装着具１００を腰袋のポケットに引掛けて装着するための部分をいう。
○丸型磁石又は角型磁石Ｍは、本体部Ｂに取付けられて若しくは埋設されてとは、丸型磁石又は角型磁石Ｍは、本体部Ｂの表面又は背面に取付けられて、若しくは、本体部Ｂ内に埋設されて（図６（Ａ）図、図７を参照）の意味合いである。
○工具装着補助着具２００とは、
○第２の本体部Ｂ２とは、腰袋のポケットに予め装着しておき、工具装着具１００を磁石で脱着可能にした工具を装着するための補助具である。
○第１の面ファスナーとは、第２の本体部Ｂ２の表面に取付けられた帯状体である。第１の面ファスナーの面は、雄面又は雌面となっている。
○第２の面ファスナーとは、第２の本体部Ｂ２の裏面に取付けられた帯状体である。第２の面ファスナーの面は、雄面又は雌面となっている。
○腰袋とは、職人等が使用頻度の高い道具を入れておき、すぐ使えるよう腰にぶら下げて  おく袋のことをいう。腰袋の道具を入れるポケットは、底がないポケットを有する。底がないポケットは、工具が長く、かつ、一端が広くて多端が細い工具を装着しておくために設けられている。
○ポケット（本願考案におけるポケット）とは、腰袋についている底がないポケットをいう。本願考案に係る工具装着補助具２００をポケット（底なし）に、第１の面ファスナーＦ１と第２の面ファスナーＦ２によって取付ける（図７を参照）。
○第２の本体部Ｂ２に丸型磁石又は角型磁石Ｍを取付けて若しくは埋設してなりとは、第２の本体部Ｂ２の表面又は背面に丸型磁石又は角型磁石Ｍを取付けてなり若しくは第２の本体部Ｂ２内に丸型磁石又は角型磁石Ｍを埋設してなり（図７を参照）の意味合いである。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
本体部Ｂと工具保持部ｔＨとからなる工具装着具１００において、丸型磁石又は角型磁石Ｍは、本体部Ｂに取付けられて若しくは埋設されて、工具の金属部ｍを磁気的に吸着すると共に、工具保持部ｔＨは、一対の側方ストッパーＳＴからなり、一対の側方ストッパーＳＴは、それぞれ本体部Ｂの上方に取付けられ、一対の側方ストッパーＳＴの上端部ｓｔｕで工具ｔを垂直方向に吊り下げて支持し、側方向に拘束するが、前方方向には拘束しないことを特徴とする請求項１に記載された工具装着具１００である。
○第２の考案（請求項２に記載の考案）
上記の課題を解決するための第２の考案（請求項２に記載の考案）は、
工具保持部ｔＨは、一対の第１の工具保持部ｔＨ１からなり、第１の工具保持部ｔＨ１は、側方ストッパーＳＴと接続具ｃｎを一体にしたＬ字形状部材であり、一対の第１の工具保持部ｔＨ１は、それぞれ本体部Ｂの上方に接続具ｃｎを介して取付けられることを特徴とする請求項１に記載された工具装着具１００である。
○第３の考案（請求項３に記載の考案）
上記の課題を解決するための第３の考案（請求項３に記載の考案）は、
工具保持部ｔＨは、一対の側方ストッパーＳＴと接続具ｃｎを一体になったコの字形状部材であり、工具保持部ｔＨは、それぞれ本体部Ｂの上方に接続具ｃｎを介して取付けられることを特徴とする請求項１〜２の何れかに記載された工具装着具１００である。
○第４の考案（請求項４に記載の考案）
上記の課題を解決するための第４の考案（請求項４に記載の考案）は、
本体部Ｂと工具保持部ｔＨ及びさらに引掛け部ｈからなる工具装着具１００において、本体部Ｂの裏面側に引掛け部ｈが取付けられてなることを特徴とする請求項１〜３の何れかに記載された工具装着具１００である。
○第５の考案（請求項５に記載の考案）
上記の課題を解決するための第５の考案（請求項５に記載の考案）は、
第２の本体部Ｂ２と、第２の本体部Ｂ２の表面に取付けられた第１の面ファスナーと、第２の本体部Ｂ２の裏面に取付けられた第２の面ファスナーとからなる工具装着補助具２００において、第２の本体部Ｂ２に丸型磁石又は角型磁石Ｍを取付けて若しくは埋設してなり、第１の面ファスナーＦ１と第２の面ファスナーＦ２は雄／雌又は雌／雄の異種の面により脱着可能に接着されることを特徴とする請求項１〜４の何れかに記載された工具装着補助具２００である。
○第６の考案（請求項６に記載の考案）
上記の課題を解決するための第６の考案（請求項６に記載の考案）は、
第１の面ファスナーＦ１の表裏面が、それぞれ雄／雄面又は雌／雌面であり、第２の面ファスナーＦ２の表裏面が、それぞれ雌／雄又は雄／雌面であることを特徴とする請求項１〜５の何れかに記載された工具装着補助具２００である。
【考案の効果】
【０００７】
本考案に係る、工具装着具１００は、上記のような特徴的構成要件から構成され、特徴的構成要件に応じた、以下のような本願考案特有の効果を奏する。
また、上記の各考案に応じた、上記のような特徴的構成要件から構成された工具装着具１００によれば、本願考案の課題を十分解消することができた。
○第１の考案の効果
第１の考案によれば、
本体部Ｂと工具保持部ｔＨとからなる工具装着具１００において、丸型磁石又は角型磁石Ｍは、本体部Ｂに取付けられて若しくは埋設されて、工具の金属部ｍを磁気的に吸着すると共に、工具保持部ｔＨは、一対の側方ストッパーＳＴからなり、一対の側方ストッパーＳＴは、それぞれ本体部Ｂの上方に取付けられ、一対の側方ストッパーＳＴの上端部ｓｔｕで工具ｔを垂直方向に吊り下げて支持し、側方向に拘束するが、前方方向には拘束しないことという特徴的な構成要件により、本考案が解決しようとする第１課題〜第２課題を達成することができ、当業者予測不可能な顕著な効果を奏することができた。
○第２の考案の効果
第２の考案によれば、
工具保持部ｔＨは、一対の第１の工具保持部ｔＨ１からなり、第１の工具保持部ｔＨ１は、側方ストッパーＳＴと接続具ｃｎを一体にしたＬ字形状部材であり、一対の第１の工具保持部ｔＨ１は、それぞれ本体部Ｂの上方に接続具ｃｎを介して取付けられることという特徴的な構成要件により、本考案が解決しようとする第１課題〜第２課題を達成することができ、当業者予測不可能な顕著な効果を奏することができた。
○第３の考案の効果
第３の考案によれば、
工具保持部ｔＨは、一対の側方ストッパーＳＴと接続具ｃｎを一体になったコの字形状部材であり、工具保持部ｔＨは、それぞれ本体部Ｂの上方に接続具ｃｎを介して取付けられることという特徴的な構成要件により、本考案が解決しようとする第１課題〜第２課題を達成することができ、当業者予測不可能な顕著な効果を奏することができた。
○第４の考案の効果
第４の考案によれば、
本体部Ｂと工具保持部ｔＨ及びさらに引掛け部ｈからなる工具装着具１００において、本体部Ｂの裏面側に引掛け部ｈが取付けられてなることという特徴的な構成要件により、本考案が解決しようとする第１課題〜第２課題を達成することができ、当業者予測不可能な顕著な効果を奏することができた。
○第５の考案の効果
第５の考案によれば、
第２の本体部Ｂ２と、第２の本体部Ｂ２の表面に取付けられた第１の面ファスナーと、第２の本体部Ｂ２の裏面に取付けられた第２の面ファスナーとからなる工具装着補助具２００において、第２の本体部Ｂ２に丸型磁石又は角型磁石Ｍを取付けて若しくは埋設してなり、第１の面ファスナーＦ１と第２の面ファスナーＦ２は雄／雌又は雌／雄の異種の面により脱着可能に接着されることという特徴的な構成要件により、本考案が解決しようとする第１課題〜第２課題を達成することができ、当業者予測不可能な顕著な効果を奏することができた。
○第６の考案の効果
○第６の考案の効果  第６の考案によれば、
第１の面ファスナーＦ１の表裏面が、それぞれ雄／雄面又は雌／雌面であり、第２の面ファスナーＦ２の表裏面が、それぞれ雌／雄又は雄／雌面であることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、工具装着具１００に関する最良の実施形態について、図面を参照しながら説明する。
図１は、本考案に係る工具装着具１００の斜視図である。
図２は、本考案に係る工具装着具１００の斜視図である（図２は、図１とは別の実施態様を表す。）。
図３は、本考案に係る工具装着補助具２００の斜視図である。
図４は、本発明に係る工具保持部ｔＨの実施態様の種類（Ａ）〜（Ｂ）の図面（上図は平面図を表し、下図は正面図を表す。）である。（Ａ）図は、請求項１に記載の工具保持部ｔＨを表す図である。（Ｂ）図は、請求項２に記載の工具保持部ｔＨを表す図である。（Ｃ）図は、請求項３に記載の工具保持部ｔＨを表す図である。
図５（Ａ）〜（Ｄ）は、本発明に係る工具装着補助部２００の実施態様の種類を表す。
図６は、本発明に係る工具装着補助部２００に、工具ｔを収納し保持する使用態様図を表す。
図７は、本考案に係る工具装着補助具２００を腰袋のポケット（底なし）のポケットに取付けた後、本考案に係る工具装着具１００を工具装着補助具２００に取付けている使用状態図を表す。
なお、本願の図面は、本願考案の構成の横断面と縦断面は分り易くするべく黒地で表している。
以下、本考案に係る、工具装着具１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の工具装着具１００において、
本体部Ｂと工具保持部ｔＨとからなる工具装着具１００において、丸型磁石又は角型磁石Ｍは、本体部Ｂに取付けられて若しくは埋設されて、工具の金属部ｍを磁気的に吸着すると共に、工具保持部ｔＨは、一対の側方ストッパーＳＴからなり、一対の側方ストッパーＳＴは、それぞれ本体部Ｂの上方に取付けられ、一対の側方ストッパーＳＴの上端部ｓｔｕで工具ｔを垂直方向に吊り下げて支持し、側方向に拘束するが、前方方向には拘束しないことを特徴とする工具装着具１００が開示されている。
○第１の考案の効果
第１の考案によれば、
本体部Ｂと工具保持部ｔＨとからなる工具装着具１００において、丸型磁石又は角型磁石Ｍは、本体部Ｂに取付けられて若しくは埋設されて、工具の金属部ｍを磁気的に吸着すると共に、工具保持部ｔＨは、一対の側方ストッパーＳＴからなり、一対の側方ストッパーＳＴは、それぞれ本体部Ｂの上方に取付けられ、一対の側方ストッパーＳＴの上端部ｓｔｕで工具ｔを垂直方向に吊り下げて支持し、側方向に拘束するが、前方方向には拘束しないことという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の工具装着具１００において、
工具保持部ｔＨは、一対の第１の工具保持部ｔＨ１からなり、第１の工具保持部ｔＨ１は、側方ストッパーＳＴと接続具ｃｎを一体にしたＬ字形状部材であり、一対の第１の工具保持部ｔＨ１は、それぞれ本体部Ｂの上方に接続具ｃｎを介して取付けられることを特徴とする請求項１に記載された工具装着具１００が開示されている。
○第２の考案の効果
第２の考案によれば、
工具保持部ｔＨは、一対の第１の工具保持部ｔＨ１からなり、第１の工具保持部ｔＨ１は、側方ストッパーＳＴと接続具ｃｎを一体にしたＬ字形状部材であり、一対の第１の工具保持部ｔＨ１は、それぞれ本体部Ｂの上方に接続具ｃｎを介して取付けられることという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の工具装着具１００において、
工具保持部ｔＨは、一対の側方ストッパーＳＴと接続具ｃｎを一体になったコの字形状部材であり、工具保持部ｔＨは、それぞれ本体部Ｂの上方に接続具ｃｎを介して取付けられることを特徴とする請求項１〜２の何れかに記載された工具装着具１００が開示されている。
○第３の考案の効果
第３の考案によれば、
工具保持部ｔＨは、一対の側方ストッパーＳＴと接続具ｃｎを一体になったコの字形状部材であり、工具保持部ｔＨは、それぞれ本体部Ｂの上方に接続具ｃｎを介して取付けられることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の工具装着具１００において、
本体部Ｂと工具保持部ｔＨ及びさらに引掛け部ｈからなる工具装着具１００において、本体部Ｂの裏面側に引掛け部ｈが取付けられてなることを特徴とする請求項１〜３の何れかに記載された工具装着具１００が開示されている。
○第４の考案の効果
第４の考案によれば、本体部Ｂと工具保持部ｔＨ及びさらに引掛け部ｈからなる工具装着具１００において、本体部Ｂの裏面側に引掛け部ｈが取付けられてなることという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の工具装着具１００において、
第２の本体部Ｂ２と、第２の本体部Ｂ２の表面に取付けられた第１の面ファスナーと、第２の本体部Ｂ２の裏面に取付けられた第２の面ファスナーとからなる工具装着補助具２００において、第２の本体部Ｂ２に丸型磁石又は角型磁石Ｍを取付けて若しくは埋設してなり、第１の面ファスナーＦ１と第２の面ファスナーＦ２は雄／雌又は雌／雄の異種の面により脱着可能に接着されることを特徴とする請求項１〜４の何れかに記載された工具装着補助具２００が開示されている。
○第５の考案の効果
第５の考案によれば、第２の本体部Ｂ２と、第２の本体部Ｂ２の表面に取付けられた第１の面ファスナーと、第２の本体部Ｂ２の裏面に取付けられた第２の面ファスナーとからなる工具装着補助具２００において、第２の本体部Ｂ２に丸型磁石又は角型磁石Ｍを取付けて若しくは埋設してなり、第１の面ファスナーＦ１と第２の面ファスナーＦ２は雄／雌又は雌／雄の異種の面により脱着可能に接着されることという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の工具装着具１００において、
第１の面ファスナーＦ１の表裏面が、それぞれ雄／雄面又は雌／雌面であり、第２の面ファスナーＦ２の表裏面が、それぞれ雌／雄又は雄／雌面であることを特徴とする請求項１〜５の何れかに記載された工具装着具１００が開示されている。
○第６の考案の効果
第６の考案によれば、第１の面ファスナーＦ１の表裏面が、それぞれ雄／雄面又は雌／雌面であり、第２の面ファスナーＦ２の表裏面が、それぞれ雌／雄又は雄／雌面であることという特徴的な構成要件により、本考案が解決しようとする第１課題〜第２課題を達成することができ、当業者予測不可能な顕著な効果を奏することができた。
【図面の簡単な説明】
【０００９】
【図１】図１は、本考案に係る工具装着具１００の斜視図である。
【図２】図２は、本考案に係る工具装着具１００の斜視図である（図２は、図１とは別の実施態様を表す。）。
【図３】図３は、本考案に係る工具装着補助具２００の斜視図である。
【図４】図４は、本発明に係る工具保持部ｔＨの実施態様の種類（Ａ）〜（Ｂ）の図面（上図は平面図を表し、下図は正面図を表す。）である。（Ａ）図は、請求項１に記載の工具保持部ｔＨを表す図である。（Ｂ）図は、請求項２に記載の工具保持部ｔＨを表す図である。（Ｃ）図は、請求項３に記載の工具保持部ｔＨを表す図である。
【図５】図５（Ａ）〜（Ｄ）は、本発明に係る工具装着補助部２００の実施態様の種類を表す。
【図６】図６は、本発明に係る工具装着補助部２００に、工具ｔを収納し保持する使用態様図を表す。
【図７】図７は、本考案に係る工具装着補助具２００を腰袋のポケット（底なし）のポケットに取付けた後、本考案に係る工具装着具１００を工具装着補助具２００に取付けている使用状態図を表す。
【符号の説明】
【００１０】
１００……工具装着具
Ｂ……本体部
ｔＨ……工具保持部
Ｍ……丸型磁石又は角型磁石
ｔ……工具
ＳＴ……側方ストッパー
ｓｔｕ……側方ストッパーＳＴの上端部
ｔＨ１……第１の工具保持部
ｃｎ……接続具
ｈ……引掛け部
２００……工具装着具
Ｂ２……第２の本体部
Ｆ１……第１の面ファスナー
Ｆ２……第２の面ファスナー
【図１】
0003203136.tif 000003
【図２】
0003203136.tif 000004
【図３】
0003203136.tif 000005
【図４】
0003203136.tif 000006
【図５】
0003203136.tif 000007
【図６】
0003203136.tif 000008
【図７】
0003203136.tif 000009
【手続補正書】
【提出日】平成27年12月2日(2015.12.2)
【手続補正１】
【補正対象書類名】実用新案登録請求の範囲
【補正対象項目名】請求項５
【補正方法】変更
【補正の内容】
【請求項５】
工具装着具１００と工具装着補助具２００において、
工具装着具１００が、請求項１〜４の何れかに記載された工具装着具１００であって、
工具装着補助具２００が、第２の本体部Ｂ２と、第２の本体部Ｂ２の表面に取付けられた第１の面ファスナーと、第２の本体部Ｂ２の裏面に取付けられた第２の面ファスナーとからなる工具装着補助具２００であって、第２の本体部Ｂ２に丸型磁石又は角型磁石Ｍを取付けて若しくは埋設してなり、第１の面ファスナーＦ１と第２の面ファスナーＦ２は雄／雌又は雌／雄の異種の面により脱着可能に接着されることを特徴とする、工具装着具１００と工具装着補助具２００の組合せ。
【手続補正２】
【補正対象書類名】実用新案登録請求の範囲
【補正対象項目名】請求項６
【補正方法】変更
【補正の内容】
【請求項６】
第１の面ファスナーＦ１の表裏面が、それぞれ雄／雄面又は雌／雌面であり、第２の面ファスナーＦ２の表裏面が、それぞれ雌／雄又は雄／雌面であることを特徴とする、工具装着具１００と工具装着補助具２００の組合せ。 
【手続補正書】
【提出日】平成28年1月19日(2016.1.19)
【手続補正１】
【補正対象書類名】実用新案登録請求の範囲
【補正対象項目名】請求項６
【補正方法】変更
【補正の内容】
【請求項６】
第１の面ファスナーＦ１の表裏面が、それぞれ雄／雄面又は雌／雌面であり、第２の面ファスナーＦ２の表裏面が、それぞれ雌／雄又は雄／雌面であることを特徴とする、請求項５に記載の工具装着具１００と工具装着補助具２００の組合せ。